(57)【要約】      （修正有）【課題】ＤＶＤに代表される高密度光ディスク等の情報記録媒体を用いてインタラクティブな再生を行う際に、スキャンやサーチなどの特殊再生をすべきでない情報については簡単な構成により、その再生を禁止できるようにする。【解決手段】ＤＶＤ１には、複数のＶＯＢＵと、複数のセルとに区分されて、情報が記録トラック上に記録されており、且つ複数のセルの特殊再生の禁止を夫々示す複数の第１再生禁止フラグを含むテーブルが記録トラックの一部にまとめて記録されている。情報再生装置Ｓ２は、特殊再生が指定された場合には、ピックアップ８０を記録トラックを横切って移動させることにより映像情報等を特殊再生するようにモータ１０３、ピックアップ８０等を制御し、通常再生及び特殊再生に先立ってテーブルに含まれる第１再生禁止フラグにより特殊再生が禁止されているセルについては特殊再生しないように制御するシステムコントローラ１００を備える。【選択図】図９
2006269066.tif 000002
【特許請求の範囲】
【請求項１】
読取手段を備えており該読取手段を映像情報及び音声情報の記録された記録トラックに沿って移動させつつ通常再生し且つ前記映像情報及び音声情報にアクセスするためのアクセス情報に基づいて前記読取手段を前記記録トラックを横切って移動させて特殊再生する再生装置により、再生される前記記録トラックを有する情報記録媒体であって、
前記再生装置により物理的にアクセス可能な最小単位であり前記映像情報及び音声情報と前記アクセス情報を含む制御情報とから夫々構成される複数の第１データグループと、前記再生装置による通常及び特殊再生において論理的に分割可能な単位であり前記複数の第１データグループのうち前記記録トラックに沿って並べられた一連の第１データグループから夫々構成される複数の第２データグループとに区分されて、前記映像情報、音声情報及び制御情報が前記記録トラック上に記録されており、
前記複数の第２データグループの前記再生装置による特殊再生の禁止を夫々示す複数の第１再生禁止情報を含む管理情報が前記記録トラックの一部にまとめて記録されていることを特徴とする情報記録媒体。
【請求項２】
前記制御情報は、前記制御情報が含まれる第２データグループの前記再生装置による特殊再生の禁止を示す第２再生禁止情報を夫々含むことを特徴とする請求項１に記載の情報記録媒体。
【請求項３】
前記管理情報は、前記複数の第２データグループ夫々の先頭位置及び大きさを夫々示す情報並びに前記第１再生禁止情報を示すテーブルから構成されていることを特徴とする請求項１又は２に記載の情報記録媒体。
【請求項４】
前記映像情報は、主映像情報及び副映像情報から構成されていることを特徴とする請求項１から３のいずれか一項に記載の情報記録媒体。
【請求項５】
読取手段を備えており該読取手段を映像情報及び音声情報の記録された記録トラックに沿って移動させつつ通常再生し且つ前記映像情報及び音声情報にアクセスするためのアクセス情報に基づいて前記読取手段を前記記録トラックを横切って移動させて特殊再生する再生装置により再生される前記記録トラックを有する情報記録媒体に、情報を記録するための情報記録装置であって、
前記映像情報及び音声情報に対応する前記アクセス情報を生成するアクセス情報生成手段と、
前記再生装置により物理的にアクセス可能な最小単位であり前記映像情報及び音声情報と前記アクセス情報を含む制御情報とから夫々構成される複数の第１データグループと、前記再生装置による通常及び特殊再生において論理的に分割可能な単位であり前記複数の第１データグループのうち前記記録トラックに沿って並べられた一連の第１データグループから夫々構成される複数の第２データグループとに区分して、前記映像情報、音声情報及び制御情報を前記記録トラック上に記録すると共に、前記複数の第２データグループの前記再生装置による特殊再生の禁止を夫々示す複数の第１再生禁止情報を含む管理情報を前記記録トラックの一部にまとめて記録する記録手段と、
前記第１再生禁止情報を入力するための入力手段と、
を備えたことを特徴とする情報記録装置。
【請求項６】
前記制御情報は、前記制御情報が含まれる第２データグループの前記再生装置による特殊再生の禁止を示す第２再生禁止情報を夫々含み、
前記入力手段は、前記第２再生禁止情報を更に入力可能に構成されていることを特徴とする請求項５に記載の情報記録装置。
【請求項７】
前記記録手段は、前記制御情報及び管理情報を前記アクセス情報に基づく所定のタイミングで、前記映像情報及び音声情報に多重する多重手段を備えていることを特徴とする請求項５又は６に記載の情報記録装置。
【請求項８】
物理的にアクセス可能な最小単位であり映像情報及び音声情報と該映像情報及び音声情報にアクセスするためのアクセス情報を含む制御情報とから夫々構成される複数の第１データグループと、通常再生及び特殊再生において論理的に分割可能な単位であり前記複数の第１データグループのうち記録トラックに沿って並べられた一連の第１データグループから夫々構成される複数の第２データグループとに区分されて、前記映像情報、音声情報及び制御情報が前記記録トラック上に記録されており、且つ前記複数の第２データグループの特殊再生の禁止を夫々示す複数の第１再生禁止情報を含む管理情報が前記記録トラックの一部にまとめて記録されている情報記録媒体を再生するための情報再生装置であって、
前記記録トラック上で所定の読取り位置に記録されている情報を読取る読取手段と、
前記読取手段を前記記録トラックに沿って又は前記記録トラックを横切って相対的に移動させる移動手段と、
前記読取手段により読取られた情報を再生する再生手段と、
前記通常再生及び特殊再生のいずれかを指定可能な指定手段と、
前記指定手段により前記通常再生が指定された場合には、前記読取手段を前記記録トラックに沿って移動させることにより前記映像情報及び音声情報を通常再生し、前記特殊再生が指定された場合には、前記アクセス情報に基づいて前記読取手段を前記記録トラックを横切って移動させることにより前記映像情報及び音声情報を特殊再生するように前記移動手段、前記読取手段及び前記再生手段を制御する制御手段であって、前記通常再生及び特殊再生に先立って前記管理情報を再生させると共に該再生された管理情報に含まれる第１再生禁止情報により特殊再生が禁止されている第２データグループについては特殊再生しないように前記読取手段、前記移動手段及び前記再生手段のうち少なくとも一つを制御する制御手段と、
を備えたことを特徴とする情報再生装置。
【請求項９】
前記制御手段は、前記指定手段により特殊再生が指定されたことを１ビットの情報として記憶するレジスタを備えており、該レジスタが特殊再生を示している際に、前記第２データグループについて特殊再生しないように制御することを特徴とする請求項８に記載の情報再生装置。
【請求項１０】
前記制御手段は、前記先立って再生された管理情報を保持する記憶手段を備えていることを特徴とする請求項８又は９に記載の情報再生装置。
【請求項１１】
前記特殊再生は、再生を開始すべき位置が指定されるサーチ再生を含み、
前記制御手段は、前記サーチ再生の際に前記指定された位置が含まれる第２データグループの特殊再生が前記第１再生禁止情報により禁止されている場合には、前記読取手段を移動手段により移動させることなく、当該サーチ再生を中止することを特徴とする請求項８から１０のいずれか一項に記載の情報再生装置。
【請求項１２】
前記特殊再生は、前方早送り又は後方早送りにより再生を開始すべき位置が指定されるスキャン再生を含み、
前記制御手段は、前記スキャン再生の際に前記読取手段を前記移動手段により前記指定された位置まで移動させた後に、前記指定された位置が含まれる第２データグループの特殊再生が前記第１再生禁止情報により禁止されている場合には、前記読取手段を前記駆動手段により前記指定された位置に至るまでの移動方向と同一の方向に前記第１再生禁止情報により禁止されていない第２データグループに至るまで移動させた後に再生を開始するように制御することを特徴とする請求項８から１１のいずれか一項に記載の情報再生装置。
【請求項１３】
前記制御情報は、前記制御情報が含まれる第２データグループの前記再生装置による特殊再生の禁止を示す第２再生禁止情報を夫々含み、
前記制御手段は、一つの第１データグループに前記読取手段が移動した際に、該一つの第１データグループに含まれる映像情報及び音声情報を再生する前に該一つの第１データグループに含まれる制御情報を再生すると共に該再生された制御情報に含まれる第２再生禁止情報により特殊再生が禁止されている場合には当該一つの第１データグループを含む第２データグループについては特殊再生しないように前記読取手段、前記移動手段及び前記再生手段のうち少なくとも一つを更に制御することを特徴とする請求項８から１２のいずれか一項に記載の情報再生装置。
【発明の詳細な説明】
【技術分野】
【０００１】
本発明は、ＤＶＤに代表される映像、音声等の情報を高密度に記録可能な高密度光ディスク等の情報記録媒体、並びに当該情報記録媒体に情報を記録するための記録装置、及び当該情報記録媒体から情報を再生するための再生装置の技術分野に属する。
【背景技術】
【０００２】
従来は、映像、音声等の情報が記録された光ディスクとしては、いわゆるＬＤ（Laser Disk）、ＣＤ（Compact Disk）等が広く一般化している。
【０００３】
これらのＬＤ等においては、映像情報や音声情報が、各ＬＤ等が有する再生開始位置を基準とした夫々の情報を再生すべき時刻を示す時間情報と共に記録されている。このため、記録されている情報を記録されている順序で再生する一般的な通常再生の他、例えば、ＣＤにおいては、記録されている複数の曲のうち、聞きたい曲のみを抽出して聞いたり、再生順序をランダムに変えて聞く等の再生が可能である。
【０００４】
しかしながら、上記ＬＤ等においては、表示される映像や再生される音声について視聴者が選択枝をもち、当該視聴者がそれらを選択して視聴する等のいわゆるインタラクティブな変化に富んだ再生はできないという問題点があった。
【０００５】
即ち、例えば、最近のゲーム用や教育用のパソコンのソフトウエアにみられるような「問題」を表示等した後に視聴者が入力した「答え」の内容に応じて異なる表示や音声出力等をするようなインタラクティブな再生（例えば、「答え」が正解である場合には、正解に対応した映像及び音声を再生し、この「答え」が間違いである場合には、間違いに対応した映像及び音声を再生すること）ができないのである。
【０００６】
一方、現在、上記従来のＣＤに対して、光ディスク自体の大きさを変えずに記憶容量を約１０倍に向上させた光ディスクであるＤＶＤにおけるインタラクティブな再生についての提案や開発がなされている。このＤＶＤを再生するプレーヤにおいても、その性質上、ＬＤプレーヤと同じようにサーチ（検索）やスキャン（早見チェック）操作が可能となる。即ち、上述の如きインタラクティブな再生を可能とするＤＶＤプレーヤは、従来のＬＤプレーヤー等と同じように情報を時間を追って再生する装置としての機能とパソコンやゲーム機器と同じようなインタラクティブなやり取りを行う装置としての機能とを兼ね備えたものとなる。従って、上述の如きインタラクティブな再生を可能とするＤＶＤに対してサーチやスキャンした際に、「問題」を再生する前にその「正解」や「間違い」に対応した情報を再生してしまう可能性が出てくる。このような再生は、製作者（ソフトウエアの製作者）の意図に根本的に反するものであり更に視聴者（ソフトウエアの使用者）にとってもゲームや勉強の進行上望ましいことではない。
【発明の開示】
【発明が解決しようとする課題】
【０００７】
しかしながら、サーチやスキャンの際に製作者が意図せずまた視聴者も希望しない再生が行われないようにするためのＤＶＤ技術については未だ提案も開発もされていない。更に、上述の如き二つの機能を併せ持つＤＶＤにおけるインタラクティブな再生においては、サーチやスキャンの際に製作者が意図せず視聴者も希望しない再生が行われないようにすべきであるという課題自体が当業者の間で認識されていないのが現状である。
【０００８】
本願発明者らは、この未だに公知でない課題にいち早く着目し、未だ公知とされていない特願平７―１６６０２５号において、（ｉ）一定のデータグループ毎に再生条件を示す再生禁止情報を含む付加情報を予め付加しておき、この再生禁止情報に定められた再生条件（例えば、所定の再生手順を経たという条件、「問題」の再生が完了したという条件など）を満たしたか否かをプレーヤにおいて常時モニタリングして再生条件を満たしたと判断されたときに、その再生禁止情報に続く映像データ及び音声データの再生を許可する再生方法、及び（ｉｉ）一定のデータグループ毎に再生を許可するための基準値を示す再生禁止情報を含む付加情報を予め付加しておくと共に当該ソフトウエアに対する視聴者の再生操作状況に応じて決定される再生許可レベルを各プレーヤに持たせておき、これらの再生禁止情報に含まれる基準値と再生許可レベルとの大小関係に基づいて、その再生禁止情報に続く映像データ及び音声データの再生を許可する再生方法を発明している。
【０００９】
しかしながら、これらの（ｉ）及び（ｉｉ）の方法によれば、プレーヤは再生条件や再生の進行状況を記憶しておかねばならない。特に（ｉ）の方法によれば、プレーヤは、例えば、問題の再生が完了したか否かをモニタリングしておき、完了した際に内蔵レジスタの特定ビットが１とされる。これ以降に、この完了を条件に再生可能であることを示す再生禁止情報をもつデータグループがあれば、プレーヤはその内蔵レジスタの値により、再生可能であるか不可能であるかを判断する。従って、再生されるソフトウエアにおいて分岐が、複数箇所あると、その箇所毎に再生許可判断を行うためには、少なくとも分岐の総数分のビット数のレジスタが必要となる。また（ｉｉ）の方法によれば、プレーヤは、再生許可レベルを不揮発的に常に記憶するレジスタが必要となる。
【００１０】
更に、これらの（ｉ）及び（ｉｉ）の方法によれば、各データグループ毎に再生禁止情報が付加されているため、実際にそのデータグループの所へピックアップを移動させて情報を読み出して始めて（即ち、リアルタイムで）、再生が認められないことが判明することになる。よって、再生が認められないデータグループへのスキャンを行った場合には、（ａ）このデータグループのところへピックアップが移動してからスキャンがいきなり中断されたり、（ｂ）このデータグループのところへピックアップが移動した後に再生が認められた別のデータグループのところまでピックアップが戻って、その後にその部分の再生を開始したり、（ｃ）再生が認められる別のデータグループを見つけるまでジャンプが何度も繰り返されたりしてしまう。上記（ａ）のような動作では、スキャン本来の別の箇所を再生するという目的に根本的に適さない。また、上記（ｂ）のような動作では、再生不可能な部分をまたぐスキャンが不可能となり、スキャン本来の前方や後方の離れた箇所へ移動するという目的に適さない。更に、上記（ｃ）のような動作では、再生不可能とされている部分が長い場合にはスキャン動作をしているにも拘わらず再生されない期間が長く続き、視聴者にとっては使い勝手が非常に悪い。特に、ディスクの最初や最後の部分で、このような動作が繰り返されると、そのままスキャンを停止してしまう不都合もある。
【００１１】
以上のように、この本願発明者らの発明した再生方法によれば、スキャン本来の機能が不完全なものとなる。
【００１２】
そこで、本発明の課題は、インタラクティブな再生においてスキャンやサーチなどの特殊再生の際に再生すべきでない情報の再生を比較的簡単な構成により未然に防止し得ると共に円滑な特殊再生を可能ならしめる情報記録媒体、並びにその記録装置及び再生装置を提供することにある。
【課題を解決するための手段】
【００１３】
上記の課題を解決するために、請求項１に記載の発明は、読取手段を備えており該読取手段を映像情報及び音声情報の記録された記録トラックに沿って移動させつつ通常再生し且つ前記映像情報及び音声情報にアクセスするためのアクセス情報に基づいて前記読取手段を前記記録トラックを横切って移動させて特殊再生する再生装置により、再生される前記記録トラックを有する情報記録媒体であって、前記再生装置により物理的にアクセス可能な最小単位であり前記映像情報及び音声情報と前記アクセス情報を含む制御情報とから夫々構成される複数の第１データグループと、前記再生装置による通常及び特殊再生において論理的に分割可能な単位であり前記複数の第１データグループのうち前記記録トラックに沿って並べられた一連の第１データグループから夫々構成される複数の第２データグループとに区分されて、前記映像情報、音声情報及び制御情報が前記記録トラック上に記録されており、前記複数の第２データグループの前記再生装置による特殊再生の禁止を夫々示す複数の第１再生禁止情報を含む管理情報が前記記録トラックの一部にまとめて記録されている。
【００１４】
上記の課題を解決するために、請求項５に記載の発明は、読取手段を備えており該読取手段を映像情報及び音声情報の記録された記録トラックに沿って移動させつつ通常再生し且つ前記映像情報及び音声情報にアクセスするためのアクセス情報に基づいて前記読取手段を前記記録トラックを横切って移動させて特殊再生する再生装置により再生される前記記録トラックを有する情報記録媒体に、情報を記録するための情報記録装置であって、前記映像情報及び音声情報に対応する前記アクセス情報を生成するアクセス情報生成手段と、前記再生装置により物理的にアクセス可能な最小単位であり前記映像情報及び音声情報と前記アクセス情報を含む制御情報とから夫々構成される複数の第１データグループと、前記再生装置による通常及び特殊再生において論理的に分割可能な単位であり前記複数の第１データグループのうち前記記録トラックに沿って並べられた一連の第１データグループから夫々構成される複数の第２データグループとに区分して、前記映像情報、音声情報及び制御情報を前記記録トラック上に記録すると共に、前記複数の第２データグループの前記再生装置による特殊再生の禁止を夫々示す複数の第１再生禁止情報を含む管理情報を前記記録トラックの一部にまとめて記録する記録手段と、前記第１再生禁止情報を入力するための入力手段と、を備える。
【００１５】
上記の課題を解決するために、請求項８に記載の発明は、物理的にアクセス可能な最小単位であり映像情報及び音声情報と該映像情報及び音声情報にアクセスするためのアクセス情報を含む制御情報とから夫々構成される複数の第１データグループと、通常再生及び特殊再生において論理的に分割可能な単位であり前記複数の第１データグループのうち記録トラックに沿って並べられた一連の第１データグループから夫々構成される複数の第２データグループとに区分されて、前記映像情報、音声情報及び制御情報が前記記録トラック上に記録されており、且つ前記複数の第２データグループの特殊再生の禁止を夫々示す複数の第１再生禁止情報を含む管理情報が前記記録トラックの一部にまとめて記録されている情報記録媒体を再生するための情報再生装置であって、前記記録トラック上で所定の読取り位置に記録されている情報を読取る読取手段と、前記読取手段を前記記録トラックに沿って又は前記記録トラックを横切って相対的に移動させる移動手段と、前記読取手段により読取られた情報を再生する再生手段と、前記通常再生及び特殊再生のいずれかを指定可能な指定手段と、前記指定手段により前記通常再生が指定された場合には、前記読取手段を前記記録トラックに沿って移動させることにより前記映像情報及び音声情報を通常再生し、前記特殊再生が指定された場合には、前記アクセス情報に基づいて前記読取手段を前記記録トラックを横切って移動させることにより前記映像情報及び音声情報を特殊再生するように前記移動手段、前記読取手段及び前記再生手段を制御する制御手段であって、前記通常再生及び特殊再生に先立って前記管理情報を再生させると共に該再生された管理情報に含まれる第１再生禁止情報により特殊再生が禁止されている第２データグループについては特殊再生しないように前記読取手段、前記移動手段及び前記再生手段のうち少なくとも一つを制御する制御手段と、を備える。
【発明の効果】
【００１６】
請求項１に記載の情報記録媒体によれば、製作者がサーチやスキャンなどの特殊再生を禁止した第２データグループに対応する第１再生禁止情報が管理情報の中にまとめて記録されているので、再生装置において通常及び特殊再生に先立ってこの管理情報を一括して再生することができ、この管理情報の中にまとめて記録された第１再生禁止情報に基づいて、第２データグループの特殊再生を迅速且つ円滑に中止し得る。この結果インタラクティブな再生においてスキャンやサーチなどの際に再生すべきでない情報の再生を比較的簡単な構成により、未然に防ぐことができ、更に、迅速な中止により及びその中止の際の適当な中止処理により、極めて円滑な特殊再生が可能となる。
【００１７】
請求項５に記載の情報記録装置によれば、上述した請求項１に記載の情報記録媒体を記録できる。
【００１８】
請求項８に記載の情報再生装置によれば、製作者がサーチやスキャンなどの特殊再生を禁止した第２データグループに対応する第１再生禁止情報がまとめて記録された管理情報を、通常及び特殊再生に先立って一括して再生することができ、この管理情報の中にまとめて記録された第１再生禁止情報に基づいて、第２データグループの特殊再生を迅速且つ円滑に中止し得る。この結果インタラクティブな再生においてスキャンやサーチなどの際に再生すべきでない情報の再生を比較的簡単な構成により、未然に防ぐことができ、更に、迅速な中止により及びその中止の際の適当な中止処理により、極めて円滑な特殊再生が可能となる。
【発明を実施するための最良の形態】
【００１９】
次に、本発明に好適な実施の形態について説明する。なお、以下に説明する実施の形態は、上述のＤＶＤに対して本発明を適用した実施の形態について説明するものである。
【００２０】
なお、以下の実施の形態においては、下記リストの左側に示した特許請求の範囲における各構成要素の一例が、下記リストの右側に示した要素から夫々構成されている。
【００２１】
第１データグループ  ：ＶＯＢＵ（VOB-Unit）
第２データグループ  ：セル
管理情報            ：セル再生情報テーブル（ＰＧＣＩ内）
制御情報            ：ＤＳＩ（Data Search Information）
第１再生禁止情報    ：第１再生禁止フラグ（セル再生情報テーブル内）
第２再生禁止情報    ：第２再生禁止フラグ（ＤＳＩ内）
（Ｉ）情報記録媒体の実施の形態
始めに、本発明が適用された情報記録媒体の実施の一形態であるＤＶＤの物理的及び論理的な構成並びにその動作について、図１から図３を用いて説明する。
【００２２】
先ず、映像情報及び音声情報のＤＶＤ上における記録フォーマット（物理的記録フォーマット）について、図１を用いて説明する。
【００２３】
図１に示すように、実施の形態のＤＶＤ１は、その最内周部にリードインエリアＬＩを有すると共にその最外周部にリードアウトエリアＬＯを有しており、その間に、映像情報及び音声情報が、夫々にＩＤ（識別）番号を有する複数のＶＴＳ３（ＶＴＳ＃１乃至ＶＴＳ＃ｎ）に分割されて記憶されている。ここで、ＶＴＳ（Video Title Set）とは、関連する（音声、サブピクチャのストリーム数や仕様、対応言語などの属性が同じ）タイトル（映画等の、製作者が視聴者に提示しようとする一つの作品）を一まとめにしたセット（まとまり）であり、より具体的には、例えば、一本の同じ映画について、異なる言語のセリフ等を有する複数の映画が夫々にタイトルとして記録されたり、又は、同じ映画であっても劇場版と特別版とが夫々別のタイトルとして記憶されたりするものである。また、ＶＴＳ３が記録されている領域の先頭には、ビデオマネージャ２が記録される。このビデオマネージャ２として記録される情報は、例えば、各タイトルのアクセスのためのメニューや、違法コピー防止のための情報、又は夫々のタイトルに直接アクセスするためのアクセステーブル等、当該ＤＶＤ１に記録される映像情報及び音声情報の全体に係わる情報が記録される。
【００２４】
次に、一のＶＴＳ３は、コントロールデータ１１を先頭として、夫々にＩＤ番号を有する複数のＶＯＢ１０に分割されて記録されている。ここで、複数のＶＯＢ１０により構成されている部分をＶＯＢセット（ＶＯＢＳ）という。このＶＯＢセットは、ＶＴＳ３を構成する他のデータであるコントロールデータ１１と、映像情報及び音声情報の実体である複数のＶＯＢ１０の部分とを区別するために当該実体部分についてＶＯＢセットとしたものである。
【００２５】
ＶＴＳ３の先頭に記録されるコントロールデータ１１には、複数のセル（セルについては後述する。）を組合わせた論理的区分であるプログラムチェーンに関する種々の情報であるＰＧＣＩ（Program Chain Information）等の情報が記録される。また、各ＶＯＢ１０には、制御情報の他に映像情報及び音声情報の実体部分（制御情報以外の映像又は音声そのもの）が記録されている。
【００２６】
更に、一のＶＯＢ１０は、夫々にＩＤ番号を有する複数のセル２０により構成されている。ここで、一のＶＯＢ１０は、複数のセル２０により完結するように構成されており、一のセル２０が二のＶＯＢ１０に跨がることはない。
【００２７】
次に、一のセル２０は、夫々にＩＤ番号を有する複数のＶＯＢユニット（ＶＯＢＵ）３０により構成されている。ここで、ＶＯＢユニット３０とは、映像情報、音声情報及び副映像情報（映画における字幕等の副映像の情報をいう。）の夫々を含む情報単位である。
【００２８】
そして、一のＶＯＢユニット３０は、制御情報用のナビパック４１と、映像情報用のビデオパック４２と、音声情報用のオーディオパック４３と、副映像情報用のサブピクチャパック４４とにより構成されている。ここで、ビデオパック４２には、映像データの含まれるパケットが記録され、オーディオパック４３には、音声データの含まれるパケットが記録される。また、サブピクチャパック４４には、副映像としての文字や図形等のグラフィックの含まれるパケットが記録される。図１に示すようにデータ量の多いビデオパック４２は、一つのＶＯＢユニット３０の内部で一又は複数のＧＯＰが記録されており、各ビデオパック４２間にオーディオパック４３及びサブピクチャパック４４が配置されている。なお、ＤＶＤ１に記録可能な音声は８種類であり、記録可能な副映像の種類は３２種類であることが規格上定められている。更に、一つのＶＯＢＵ３０においてナビパック４１は、必ず存在するが、ビデオパック４２、オーディオパック４３及びサブピクチャパック４４の夫々は、必ずしも存在しなくてもよく、存在する場合も、その数や順序は自由である。
【００２９】
最後に、ナビパック４１は、表示させたい映像や音声等を検索するための検索情報（具体的には、当該表示させたい映像や音声等が記録されているＤＶＤ１上のアドレス等）を含むＤＳＩ（Data Search Information）パケット５１と、ＤＳＩパケット５１の情報に基づいて検索してきた映像を表示したり音声を発生させたりする際の表示制御に関する情報を含むＰＣＩ（Presentation Control Information）パケット５０とにより構成され、更に、一のＶＯＢＵに含まれる全てのビデオデータは、１個以上のＧＯＰ（Group Of Picture）により構成されている。なお、ＰＣＩパック５０には、視聴者によって選択される選択項目に対して、その項目が選択されたときの表示や動作を定義したハイライト情報が含まれている。ハイライト情報によって、例えば、視聴者が選択すべき項目を表示した画面（いわゆるメニュー画面）における選択された項目に対する画面表示の変化や変化すべき表示位置及び選択した項目に対応するコマンド（選択された項目に対応して実行される命令）の設定が行われる。
【００３０】
ここで、メニュー画面を構成して表示するために必要な、枠、選択ボタン等を構成して表示するための映像情報は、上記の副映像情報としてサブピクチャパック４４として記録される。
【００３１】
更に、上記ＧＯＰは、本実施の形態におけるＤＶＤ１に映像情報を記録する際に採用されている画像圧縮方式であるＭＰＥＧ２（Moving Picture Experts Group  ２）方式の規格において定められている単独で再生可能な最小の画像単位である。
【００３２】
ここで、ＭＰＥＧ２方式についてその概要を説明すると、一般に、連続したフレーム画像において、一枚のフレーム画像の前後にあるフレーム画像は、互いに類似し相互関係を有している場合が多い。ＭＰＥＧ２方式はこの点に着目し、数フレームを隔てて転送される複数のフレーム画像に基づき、当該複数のフレーム画像の間に存在する別のフレーム画像を、原画像の動きベクトル等に基づく補間演算にて生成する方式である。この場合、当該別のフレーム画像を記録する場合には、複数のフレーム画像との間における差分及び動きベクトルに関する情報を記録するだけで、再生時には、それらを参照して上記複数のフレーム画像から予測して当該別のフレーム画像を再生することが可能となる。これにより、画像の圧縮記録が可能となるのである。ＭＰＥＧ２方式においては、夫々のＧＯＰに含まれるデータ量が一定でない可変レート方式を採用している。
【００３３】
以上説明した図１に示す階層構造の記録フォーマットにおいて、夫々の区分は、製作者がその意図に応じて自在に区分設定をして記録させることができる。これらの区分毎に後述の論理的構造に基づいて再生することにより、変化に富んだ種々の再生が可能となるのである。
【００３４】
次に、図１に示す物理的な区分により記録された情報を組合わせた論理的フォーマット（論理的構造）について図２を用いて説明する。なお、図２に示す論理的構造は、その構造で実際にＤＶＤ１上に情報が記録されているのではなく、図２に示す論理的構造で図１に示す各データ（特にセル２０）を組合わせて再生するための情報（アクセス情報又は時間情報等）がＤＶＤ１上の、特にコントロールデータ１１の中に記録されているものである。即ち、ＤＶＤ１においては、セル２０が再生における論理的に分割可能な単位を構成している。例えば、前述の「問題」が一つのセル、「正解」が一つのセル、「間違い」が一つのセルという具合である。
【００３５】
説明の明確化のために、図２の下位の階層から説明していくと、上記図１において説明した物理構造のうち、複数のセル２０を選択して組合わせることにより、一のプログラム６０が製作者の意図に基づいて論理上構成される。このプログラム６０は、後述の再生装置におけるシステムコントローラが、区分を識別してコマンドによってアクセスできる最小の論理的単位でもある。なお、このプログラム６０を一個以上まとめたものを、視聴者が自由に選択して視聴することができる最小単位として製作者が定義することもでき、この単位をＰＴＴ（Part Of Title）という。
【００３６】
また、一のプログラム６０が複数のセル２０を選択して論理的に構成されることから、複数のプログラム６０で一のセル２０を用いる、すなわち、一のセル２０を異なった複数のプログラム６０において再生させる、いわゆるセル２０の使い回しを行うことも可能となっている。
【００３７】
ここで、一のセル２０の番号については、当該セル２０を図１に示す物理フォーマットにおいて取り扱う際にはセルＩＤ番号として扱われ（図１中、セルＩＤ＃と示す。）、図２に示す論理フォーマットにおいて取り扱う際には後述するＰＧＣＩ中の記述順にセル番号として扱われる。
【００３８】
次に、複数のプログラム６０を組合わせて一のＰＧＣ（Program Chain）６１が製作者の意図に基づいて論理上構成される。このＰＧＣ６１の単位で、前述したＰＧＣＩ（Program Chain Information）が定義され、当該ＰＧＣＩには、夫々のプログラム６０を再生する際の各プログラム６０の再生順序（この再生順序により、プログラム６０毎に固有のプログラム番号が割当てられる。）、セルの再生順序（この再生順序により、セル毎に固有のセル番号が割当てられる。）、夫々のセル２０のＤＶＤ１上の記録位置であるアドレス、一のプログラム６０における再生すべき先頭セル２０の番号、各プログラム６０の再生方式［本実施の形態のＤＶＤ１に情報を記録する際には、再生時において、ランダム再生（乱数によるランダム再生であり、同じプログラム６０が複数回再生されることがある。）、シャッフル再生（ランダム再生と同様の乱数によるランダム再生であるが、同じプログラム６０は一度しか再生されず、同じプログラム６０が複数回再生されることはない。）又はループ再生（一つのＰＧＣ６１を何度も再生すること。）のうち、いずれか一つ或いはループ再生とランダム再生又はシャッフル再生の組み合わせによる再生方法を、製作者が選択して再生させるようにすることができる。］及び各種コマンド（ＰＧＣ６１又はセル２０毎に製作者が指定可能なコマンド）などが含まれている。なお、ＰＧＣＩのＤＶＤ１上の記録位置は、上述の通り、コントロールデータ１１内であるか又はビデオマネージャー２内のメニューに関するＰＧＣＩであればビデオマネージャー２内のコントロールデータ（図示せず）内である（図１参照）。
【００３９】
また、一のＰＧＣ６１には、上記ＰＧＣＩの他に、実体的な映像及び音声等のデータがプログラム６０の組合わせとして（換言すれば、セル２０の組合わせとして）含まれることとなる。
【００４０】
更に、一のＰＧＣ６１においては、上記のプログラム６０における説明において示したセル２０の使い回し（すなわち、異なるＰＧＣ６１により、同一のセル２０を用いること。）も可能である。また、使用するセル２０については、ＤＶＤ１に記録トラック上で記憶されている順番にセル２０を再生する方法（連続配置セルの再生）の他に、ＤＶＤ１に記憶されている順序に関係なく再生する（例えば、記録トラック上で後に記録されているセル２０を先に再生する等）方法（非連続配置セルの再生）を製作者が選択することができる。
【００４１】
次に、一又は複数のＰＧＣ６１により、一のタイトル６２が論理上構成される。このタイトル６２は、例えば、映画一本に相当する単位であり、製作者がＤＶＤ１の視聴者に対して提供したい完結した情報である。
【００４２】
そして、一又は複数のタイトル６２により、一のＶＴＳ６３が論理上構成される。このＶＴＳ６３に含まれるタイトル６２は、夫々に共通の属性を有するものであり、例えば、一本の同じ映画に対して違う言語の映画が夫々のタイトル６２に相当することとなる。また、図２に示す一のＶＴＳ６３に相当する情報は、図１に示す一のＶＴＳ３に含まれている情報に対応している。すなわち、ＤＶＤ１には、図２に示す論理上のＶＴＳ６３内に含まれる全ての情報が一のＶＴＳ３として記録されていることとなる。
【００４３】
以上説明した論理フォーマットに基づいて、ＤＶＤ１上の物理的構造において区分された情報を製作者が指定することにより、視聴者が見るべき映像（映画等）が形成されるのである。
【００４４】
なお、図１に示す物理的構造の説明においては、内容の理解の容易化のため、複数のセル２０がＩＤ番号の順に記録されているとして説明したが、実施の形態のＤＶＤ１においては、実際には、一のセル２０が図３に示す複数のインターリーブドユニットＩＵに分割されて記録される場合がある。
【００４５】
すなわち、例えば図３に示すように、製作者が一のＰＧＣ６１ＡをＩＤ番号１、２及び４を有するセル２０により構成し、他のＰＧＣ６１ＢをＩＤ番号１、３及び４を有するセル２０により構成する場合を考えると、当該ＰＧＣ６１Ａに基づいてＤＶＤ１から情報を再生する際には、ＩＤ番号１、２及び４を有するセル２０のみを再生し、ＰＧＣ６１Ｂに基づいてＤＶＤ１から情報を再生する際には、ＩＤ番号１、３及び４を有するセル２０のみを再生することとなる。この場合に、セル２０がＩＤ番号毎に分離して記録されていると、例えば、ＰＧＣ６１Ａの場合には、ＩＤ番号２のセル２０のＤＶＤ１上の記録位置からＩＤ番号４のセル２０のＤＶＤ１上の記録位置まで、再生のためのピックアップをジャンプする時間が必要となり、後述の再生装置におけるトラックバッファの容量によっては、ＩＤ番号２のセル２０とＩＤ番号４のセル２０を連続的に再生すること（以下、これをシームレス再生という。）ができなくなる。
【００４６】
そこで、図３に示す場合には、ＩＤ番号２のセル２０とＩＤ番号３のセル２０を、上記トラックバッファにおける入出力処理の速度に対応して、一時的に入力信号の入力が停止しても、出力信号の連続性が損なわれない長さのインターリーブドユニットＩＵ（すなわち、一のインターリーブドユニットＩＵの間だけピックアップがジャンプすることによりトラックバッファへの入力信号が途絶えても、当該トラックバッファからの出力信号を連続的に出力可能な長さのインターリーブドユニットＩＵ）に夫々分解して記録し、例えば、ＰＧＣ６１Ａに基づいて再生する場合には、ＩＤ番号２に対応するセル２０を構成するインターリーブドユニットＩＵのみを連続して検出し、再生することが行われる。同様に、ＰＧＣ６１Ｂに基づいて再生する場合には、ＩＤ番号３に対応するセル２０を構成するインターリーブドユニットＩＵのみを連続して検出し、再生するのである。なお、インターリーブドユニットＩＵの長さは、上述のように、トラックバッファの容量を勘案して決定される他に、トラックジャンプを行うためのスライダモータ等の駆動機構の性能をも加味して決定される場合がある。
【００４７】
このように、製作者の意図によって、一のセル２０を複数のインターリーブドユニットＩＵに分割して記録させておくことにより、飛び飛びのＩＤ番号のセル２０を含むＰＧＣ６１を再生する際にも、トラックバッファから出力される信号は途切れることはなく、従って、視聴者は中断することのない再生映像を視聴することができるのである。
【００４８】
なお、上記インターリーブドユニットＩＵは、一のＶＯＢ１０内で完結するように形成され、一のインターリーブドユニットＩＵが隣り合う複数のＶＯＢ１０に跨がることはない。また、インターリーブドユニットＩＵとＶＯＢユニット３０との関係については、一のインターリーブドユニットＩＵ内に一又は複数のＶＯＢユニット３０が含まれ、一のインターリーブドユニットＩＵ内においては一のＶＯＢユニット３０が完結するように構成されており、一のＶＯＢユニット３０が分割されて複数のインターリーブドユニットＩＵに跨がることはない。
【００４９】
次に、上記の物理的構造及び論理的構造を有する各種制御情報のうち、第１の再生禁止情報の一例を構成する第１再生禁止フラグ及び第２の再生禁止情報の一例を構成する第２再生禁止フラグに係る構成について更に詳細に説明する。
【００５０】
先ず、図１、図４及び図５を参照して、第１再生禁止フラグについて説明する。
【００５１】
図１に示したＶＴＳ３の先頭に記録されるコントロールデータ１１に含まれるＰＧＣＩ（Program Chain Information）は、当該PGCIが含む複数のセルについての詳細情報からなる図４の如きセル再生情報テーブル２０１を含んで構成されている。なお、本実施の形態においては、「問題」を表示や音声出力するために、一つの「問題」についての映像及び音声情報等を含むように一つのセルが定義されており（セル＃１）、視聴者が入力した「答え」が正解である場合に表示や音声出力するために、正解に対応した映像及び音声情報等を含むように別のセルが定義されており（セル＃２）、更に、この「答え」が間違いである場合に表示や音声出力するために、間違いに対応した映像及び音声情報等を含むように更に別のセルが定義されている（セル＃３）ものとする。このように、問題の回答単位で再生禁止フラグを定義することにより、サーチやスキャンの際に、問題を見ないで解答を見てしまう事態を以下に説明するように、効果的に防止できる。
【００５２】
図４において、セル再生情報テーブル２０１は、各セルがセル単位でサーチやスキャンなどの特殊再生の際に再生可能であるか否かを示す再生禁止フラグ２０２と、各セルの再生時間を示すセル再生時間情報２０３と、各セル内の最初のＶＯＢＵのスタートアドレスを示すセルスタートアドレス情報２０４と、セル内の最後のＶＯＢＵのスタートアドレスを示すセルエンドアドレス情報２０５とから構成されている。これらの内、第１再生禁止フラグ２０２が「オフ」の（即ち、フラグが立てられていない）場合には、後述の再生装置におけるシステムコントローラによる当該第１再生禁止フラグ２０２に基づく再生制御により、特殊再生や通常再生の区別を問わずに、当該第１再生禁止フラグ２０２に対応するセルにおけるセル単位の再生が許可される。また、第１再生禁止フラグ２０２が「オン」の（即ち、フラグが立てらている）場合には、同じくシステムコントローラによる再生制御により、特殊再生の場合には当該第１再生禁止フラグ２０２に対応するセルにおけるセル単位の再生が禁止される。即ち、システムコントローラによる再生制御により、時間指定再生、飛び越し再生又は再生速度の変更（前方早送り及び後方早送りについての速度変更を含む）という視聴者による操作が行われる際に、当該第１再生禁止フラグ２０２に対応するＶＯＢＵを含むセルの再生が禁止される。
【００５３】
尚、図４の例では、セル再生情報テーブルは、セルスタートアドレス情報とセルエンドアドレス情報とを含むが、セルエンドアドレス情報に変えて、各セルの大きさ（バイト数）を含むようにしてもよい。即ち、このようにしても、各セルのエンドアドレスを特定できる。
【００５４】
従って、図４において、例えば、セル＃１のセルは、問題１に対応するセルであり、セル＃２のセルは、その問題１に対する正解に対応するセルであり、セル#３のセルは、その問題１に対する間違いに対応するセルであり、セル＃４は、問題２に対応するセルである。この結果、問題に対応するセル（セル＃１及びセル＃４）は、第１再生禁止フラグ２０２が「オフ」であるので、特殊再生や通常再生の区別を問わずに再生が可能である。一方、正解又は間違い（即ち、問題の答え）に対応するセル（セル＃２及び＃３）は、サーチやスキャンなどの特殊再生の場合には、再生が禁止されるが、通常再生（即ち、対応する問題を再生し終えた際の再生）は禁止されていない。
【００５５】
図４において、セル再生情報テーブル２０１内において、第１再生禁止フラグ２０２は、２次元的な表における一つの行として論理的に構成されている。
【００５６】
より具体的な第１再生禁止フラグ２０２の構成例としては、例えばセル再生情報テーブル２０１内において一つの行として論理的に構成される３２ビットからなるセルの属性情報の一部として第１再生禁止フラグは構成される。即ち、図５に示すように、セルの属性情報２１０は、ｂ０〜ｂ３１の３２ビットから構成されており、その内の１ビットであるｂ２１のビットが、第１再生禁止フラグ２０２に割り当てられている。ここに、第１再生禁止フラグ２０２は、「０」の場合には、オフであり、「１」の場合には、オンである。
【００５７】
尚、図５において、二つのビットｂ３１及びｂ３０に割り当てられたセルブロックモードは、「００」の場合に当該ブロック内のセルではないことを示し、「０１」の場合に当該ブロック内の第１のセルであることを示し、「１０」の場合に当該ブロック内のセルであることを示し、「１１」の場合に当該ブロック内の最後のセルであることを示す。二つのビットｂ２９及びｂ２８に割り当てられたセルブロックタイプは、「００」の場合に当該ブロックの一部ではないことを示し、「０１」の場合にアングルブロックであることを示し、「１０」及び「１１」についてはシステム拡張用の値である。他のビットｂ２７〜ｂ０についてもセルの属性を示す他の詳細情報がビット単位で記録されているか又はシステム拡張用領域として空状態（「０」が並べられる状態）とされている。
【００５８】
次に、図１、図６及び図７を参照して、第２再生禁止フラグについて説明する。
【００５９】
図１に示したナビパック４１に含まれるＤＳＩ（Data Search Information）パケット５１は、当該ナビパック４１が先頭におかれたＶＯＢＵ３０についてのサーチとシームレス再生を行うための各ＶＯＢＵ３０に固有の内容を持つナビゲーション情報であり、第２再生禁止フラグを備えて構成されている。
【００６０】
より具体的には、例えば、ＤＳＩパケット５１のデータ構造は、図６に示したように、ＶＯＢＵに対するサーチを行うための一般的な情報であるＤＳＩ一般情報、シームレス再生の際のサーチを行うためのシームレス再生情報、アングル再生をシームレスに行うためのシームレス用アングル情報、ナビパックのアドレス情報及び同期再生用の情報の他に、第２再生禁止フラグを含む１byteの再生禁止情報２１１から構成されている。図７に示すように、第２再生禁止フラグ２１２は、８ビットｂ０〜ｂ７からなる１byteの再生禁止情報２１１の内の１ビットｂ７から構成されており、他の７ビットｂ０〜ｂ６は、拡張用領域（「０」が並べられた状態）とされている。この第２再生禁止フラグ２１２は、「０」の（即ち、フラグが立てられていない）場合には、後述の再生装置におけるシステムコントローラによる再生制御に対し、特に制限は加えられない。また、第２再生禁止フラグ２１２は、「１」の（即ち、フラグが立てらている）場合には、同じくシステムコントローラによる再生制御により、時間指定再生、飛び越し再生又は再生速度の変更（前方早送り及び後方早送りについての速度変更を含む）という視聴者による操作が行われる際に、当該第２再生禁止フラグ２１２に対応するＶＯＢＵを含むセルの再生が禁止される。
【００６１】
以上詳細に説明したように、本実施の形態によれば、ＰＧＣＩ内に設けられたセル再生情報テーブル内にセル単位で特殊再生を夫々許可又は禁止する複数の第１再生禁止フラグが構築されており、同じくセル単位で特殊再生を禁止又は許可する第２再生禁止フラグが各ＤＳＩパケットの内部に夫々構築されている。従って、後述する再生装置は、ＰＧＣＩ毎の再生に入る時点でＰＧＣＩ内に設けられたセル再生情報テーブルを参照することにより、当該ＰＧＣＩ内の映像データ等を実際に再生する以前に、第１再生禁止フラグに基づいて、サーチやスキャンなどの特殊再生の際に再生が禁止されているセルを予め認識できるので、その再生が禁止されたセルへのサーチやスキャンを事前に（そのセルを再生する前に）、確実に阻止することができる。更に、再生装置は、瞬間的なエラー等により又はセル再生情報テーブルに異常があったような場合に、ピックアップが、再生禁止されたセル内に飛び込んだとしても、最初にそのセルの先頭にあるナビパックに含まれるＤＳＩデータを読み込んだ時に、第２再生禁止フラグに基づいて、その再生が禁止されたセルの再生をリアルタイムで（ＤＳＩデータを読み込んだ後に遅延なく）、より確実に阻止することができる。本実施の形態によるこのような作用は、後述する本実施の形態のＤＶＤを再生する再生装置の動作の説明により、より明らかにされよう。
【００６２】
なお、上記ＤＶＤは、例えば、「問題」を表示等した後に視聴者が入力した「答え」の内容に応じて複数の表示等をするために必要な比較的複雑であり且つ大量の情報も同一の光ディスクに記録することが可能な大きな記憶容量を有しているので、上記の記録フォーマットは、特にＤＶＤ１に対して適用することが効果的である。
【００６３】
（II）記録装置の実施の形態
次に、上述の制御情報、映像情報及び音声情報をＤＶＤ１に記録するための記録装置の実施の形態について、図８を用いて説明する。
【００６４】
始めに、図８を用いて、実施の形態の記録装置の構成及び動作について説明する。
【００６５】
図８に示すように、実施の形態に係る記録装置Ｓ1は、ＶＴＲ（Video Tape Recorder）７０と、メモリ７１と、信号処理部７２と、ハードディスク（ＨＤ）装置７３と、ハードディスク（ＨＤ）装置７４と、コントローラ７５と、多重器７６と、変調器７７と、マスタリング装置７８とにより構成されている。本実施の形態では、信号処理部７２からアクセス情報生成手段の一例が構成されており、ハードディスク装置７３、フレキシブルディスク（ＦＤ）装置７４、コントローラ７５、多重器７６、変調器７７及びマスタリング装置７８から記録手段が構成されており、キューシートＳＴ及びメモリ７１から入力手段の一例が構成されており、更に、多重器７６から多重手段の一例が構成されている。
【００６６】
次に、動作を説明する。
【００６７】
ＶＴＲ７０には、ＤＶＤ１に記録すべき音楽情報や映像情報等の素材である記録情報Ｒが一時的に記録されている。そして、ＶＴＲ７０に一時的に記録された記録情報Ｒは、信号処理部７２からの要求により当該信号処理部７２に出力される。
【００６８】
信号処理部７２は、ＶＴＲ１から出力された記録情報ＲをＡ／Ｄ変換した後、ＭＰＥＧ２方式により圧縮処理し、音楽情報と映像情報とを時間軸多重して圧縮多重信号Ｓrとして出力する。その後、出力された圧縮多重信号Ｓrは、ハードディスク装置７３に一時的に記憶される。
【００６９】
これらと並行して、メモリ７１は、上記記録情報Ｒを部分記録情報Ｐrに予め区分し、それぞれの部分記録情報Ｐrに関する、特に各セルについての第１再生禁止フラグ及び第２再生禁止フラグのオン、オフ等が記載されたキューシートＳＴに基づき予め入力された当該部分記録情報Ｐrに関する内容情報を一時的に記憶し、信号処理部７２からの要求に基づいて内容情報信号Ｓiとして出力する。
【００７０】
そして、信号処理部７２は、ＶＴＲ７０から出力される上記記録情報Ｒに対応したタイムコードＴt及びメモリ７１から出力される内容情報信号Ｓiに基づき、タイムコードＴtを参照して上記部分記録情報Ｐrに対応するアクセス情報信号Ｓacを生成して出力し、当該アクセス情報信号Ｓacがハードディスク装置７４に一時的に記憶される。
【００７１】
以上の処理が記録情報Ｒ全体について実行される。
【００７２】
記録情報Ｒの全てについて上記の処理が終了すると、コントローラ７５は、ハードディスク装置７３から圧縮多重信号Ｓrを読み出すとともにハードディスク装置７４からアクセス情報信号Ｓacを読み出し、これらに基づいて付加情報ＤAを生成し、ハードディスク装置７４に記憶する。これは、各種制御信号中に、圧縮多重信号Ｓrの生成結果によって内容が定まるものがあるからである。一方、コントローラ７５は、上記信号処理部７２、ハードディスク装置７３及びハードディスク装置７４の夫々の動作の時間管理を行い、当該付加情報ＤAをハードディスク装置７４から読み出し、それに対応した付加情報信号Ｓaを生成して出力すると共に、圧縮多重信号Ｓrと付加情報信号Ｓaを時間軸多重するための情報選択信号Ｓccを生成して出力する。
【００７３】
その後、圧縮多重信号Ｓrと付加情報信号Ｓaは、情報選択信号Ｓccに基づき、多重器７６により時間軸多重されて情報付加圧縮多重信号Ｓapとして出力される。なお、副映像情報が存在する場合には、図示されないハードディスク装置など他の手段によって、信号処理部７２に入力され、画像、音声情報と同様に処理される。
【００７４】
そして、変調器７７は、出力された情報付加圧縮多重信号Ｓapに対してリードソロモン符号等のエラー訂正コード（ＥＣＣ）の付加及び８−１６変調等の変調を施してディスク記録信号Ｓmを生成し、マスタリング装置７８に出力する。
【００７５】
最後に、マスタリング装置７８は、当該ディスク記録信号Ｓmを光ディスクを製造する際のマスタ（抜き型）となるスタンパディスクに対して記録する。そして、このスタンパディスクを用いて図示しないレプリケーション装置により、一般に市販されるレプリカディスクとしての光ディスク、即ちＤＶＤ１が製造される。
【００７６】
次に、第１及び第２再生禁止フラグをマスタディスクに記録する記録装置Ｓ１の細部動作について説明する。
【００７７】
先ず、コントローラ７５により、キューシートＳＴにより入力された第１及び第２再生禁止フラグのセル毎のオンオフを指定する内容情報ＳIに基づき生成されたアクセス情報信号Ｓacに応じたタイミングで、付加情報信号Ｓaを選択すべき旨の情報選択信号Ｓccが出力され、多重器７６は、付加情報信号Ｓa側にスイッチされる。そして、第１再生禁止フラグは、ＰＧＣＩ内のセル再生情報テーブルを構成する付加情報信号Ｓaの一部として変調器７７に入力されて、更にディスク記録信号Ｓmの一部としてマスタリング装置７８に入力される。続いて、図１に示した１番目のＶＯＢを構成する最初のＶＯＢＵのナビパック４１を構成する第２再生禁止フラグを含むＤＳＩデータが同様に変調器７７に入力され、ディスク記録信号Ｓmの一部とされる。次に、コントローラ７５により、圧縮多重信号Ｓrを選択すべき旨の情報選択信号Ｓccが出力され、多重器７６は、圧縮多重信号Ｓr側にスイッチされ、このＶＯＢＵのビデオパック、オーディオパック、サブピクチャパックが情報付加圧縮信号Ｓapとして順次変調器７７に入力される。この動作が複数のＶＯＢＵについて繰り返し行われ、更に複数のＶＴＳについて繰り返される。
【００７８】
以上の結果、本実施の形態によれば、ＰＧＣＩ内に設けられたセル再生情報テーブル内にセル単位で特殊再生を夫々許可又は禁止する複数の第１再生禁止フラグが構築されており、同じくセル単位で特殊再生を禁止又は許可する第２再生禁止フラグが各ＤＳＩデータの内部に夫々構築されているマスタディスクを作成することができる。
【００７９】
（III）再生装置の実施の形態
次に、上記の記録装置Ｓ1によりＤＶＤ１に記録された情報を再生するための再生装置の実施の形態を、図９から図１４を用いて説明する。
【００８０】
始めに、図９を用いて、実施の形態の再生装置の構成及び動作について説明する。
【００８１】
図９に示すように、実施の形態に係る再生装置Ｓ2は、読取手段の一例を構成するピックアップ８０と、復調訂正部８１と、ストリームスイッチ８２及び８４と、トラックバッファ８３と、システムバッファ８５と、デマルチプレクサ８６と、ＶＢＶ（Video Buffer Verifier）バッファ８７と、ビデオデコーダ８８と、サブピクチャバッファ８９と、サブピクチャデコーダ９０と、混合器９１と、オーディオバッファ９２と、オーディオデコーダ９３と、ＰＣＩバッファ９４と、ＰＣＩデコーダ９５と、ハイライトバッファ９６と、ハイライトデコーダ９７と、入力部９８と、ディスプレイ９９と、システムコントローラ１００と、ドライブコントローラ１０１と、スピンドルモータ１０２と、スライダモータ１０３とにより構成されている。なお、図９に示す構成は、再生装置Ｓ2の構成のうち、映像及び音声の再生に関する部分のみを記載したものであり、ピックアップ８０及びスピンドルモータ１０２並びにスライダモータ１０３等のサーボ制御するためのサーボ回路等は従来技術と同様であるので、記載及び細部説明を省略する。本実施の形態では、スライダモータ１０３から移動手段の一例が構成されている。また、復調訂正部８１と、ストリームスイッチ８２及び８４と、トラックバッファ８３と、システムバッファ８５と、デマルチプレクサ８６と、ＶＢＶ（Video Buffer Verifier）バッファ８７と、ビデオデコーダ８８と、サブピクチャバッファ８９と、サブピクチャデコーダ９０と、混合器９１と、オーディオバッファ９２と、オーディオデコーダ９３と、ＰＣＩバッファ９４と、ＰＣＩデコーダ９５と、ハイライトバッファ９６と、ハイライトデコーダ９７とから再生手段の一例が構成されている。更に、入力部９８から指定手段の一例が構成されており、システムコントローラ１００から制御手段の一例が構成されている。
【００８２】
次に、全体動作を説明する。
【００８３】
ピックアップ８０は、図示しないレーザダイオード、偏向ビームスプリッタ、対物レンズ、光検出器等を含み、ＤＶＤ１に対して再生光としての光ビームＢを照射すると共に、当該光ビームＢのＤＶＤ１からの反射光を受光し、ＤＶＤ１上に形成されている情報ピットに対応する検出信号Ｓpを出力する。このとき、光ビームＢがＤＶＤ１上の情報トラックに対して正確に照射されると共に、ＤＶＤ１上の情報記録面で正確に焦点を結ぶように、図示しない対物レンズに対して従来技術と同様の方法によりトラッキングサーボ制御及びフォーカスサーボ制御が施されている。
【００８４】
ピックアップ８０から出力された検出信号Ｓpは、復調訂正部８１に入力され、復調処理及び誤り訂正処理が行われて復調信号Ｓdmが生成され、ストリームスイッチ８２及びシステムバッファ８５に出力される。
【００８５】
復調信号Ｓdmが入力されたストリームスイッチ８２は、ドライブコントローラ１０１からのスイッチ信号Ｓsw1によりその開閉が制御され、閉のときには、入力された復調信号Ｓdmをそのままスルーしてトラックバッファ８３に出力する。一方、ストリームスイッチ８２が開のときには、復調信号Ｓdmは出力されず、不要な情報（信号）がトラックバッファ８３に入力されることがない。
【００８６】
復調信号Ｓdmが入力されるトラックバッファ８３は、ＦＩＦＯ（First In First Out）メモリ等により構成され、入力された復調信号Ｓdmを一時的に記憶すると共に、ストリームスイッチ８４が閉とされているときには、記憶した復調信号Ｓdmを連続的に出力する。トラックバッファ８３は、ＭＰＥＧ２方式における各ＧＯＰ毎のデータ量の差を補償すると共に、インターリーブドユニットＩＵに分割されたデータの読み取りの際等に、上記のシームレス再生におけるトラックジャンプに起因して不連続に入力される復調信号Ｓdmを連続的に出力し、当該不連続による再生の中断を解消するためのものである。
【００８７】
連続的に復調信号Ｓdmが入力されるストリームスイッチ８４は、デマルチプレクサ８６における分離処理において、後段の各種バッファがオーバーフローしたり、逆に空になってデコード処理が中断することがないように、システムコントローラ１００からのスイッチ信号Ｓsw2により開閉が制御される。
【００８８】
一方、トラックバッファ８３と並行して復調信号Ｓdmが入力されるシステムバッファ８５は、ＤＶＤ１をローディングしたときに最初に検出され、ＤＶＤ１に記録されている情報全体に関するビデオマネージャーやＶＴＳ３のコントロールデータ等（図１参照）を蓄積して制御情報ＳCとしてシステムコントローラ１００に出力すると共に、情報再生中に必要に応じて上記ナビパック４１毎のＤＳＩパケット５１を一時的に蓄積し、システムコントローラ１００に制御情報ＳCとして出力する。
【００８９】
ストリームスイッチ８４を介して復調信号Ｓdmが連続的に入力されたデマルチプレクサ８６においては、当該復調信号ＳDMから映像情報、音声情報、副映像情報及びナビパック４１毎のＰＣＩパケット５０を分離し、ビデオ信号Ｓv、副映像信号Ｓsp、オーディオ信号Ｓad並びにＰＣＩ信号Ｓpcとして、夫々ＶＢＶバッファ８７、サブピクチャバッファ８９、オーディオバッファ９２及びＰＣＩバッファ９４に出力する。なお、復調信号Ｓdmには、音声情報又は副映像情報として複数の言語が別のストリームとして含まれている場合があるが、その場合には、システムコントローラ１００からのストリーム選択信号Ｓlcにより所望の言語が夫々選択されてオーディオバッファ９２又はサブピクチャバッファ８９に出力される。
【００９０】
ビデオ信号Ｓvが入力されるＶＢＶバッファ８７は、ＦＩＦＯメモリ等により構成され、ビデオ信号Ｓvを一時的に蓄積し、ビデオデコーダ８８に出力する。ＶＢＶバッファ８７は、ＭＰＥＧ２方式により圧縮されているビデオ信号Ｓvにおける各ピクチャ毎のデータ量のばらつきを補償するためのものである。そして、データ量のばらつきが補償されたビデオ信号Ｓvがビデオデコーダ８８に入力され、ＭＰＥＧ２方式により復調が行われて復調ビデオ信号Ｓvdとして混合器９１に出力される。
【００９１】
一方、副映像信号Ｓspが入力されるサブピクチャバッファ８９は、入力された副映像信号Ｓspを一時的に蓄積し、サブピクチャデコーダ９０に出力する。サブピクチャバッファ８９は、副映像信号Ｓspに含まれる副映像情報を、当該副映像情報に対応する映像情報と同期して出力するためのものである。そして、映像情報との同期が取られた副映像信号Ｓspがサブピクチャデコーダ９０に入力され、復調が行われて復調副映像信号Ｓspdとして混合器９１に出力される。
【００９２】
なお、副映像信号Ｓspが、メニュー画面を構成して表示するために必要な、枠、選択ボタン等を構成するための映像情報を含んでいる場合には、システムコントローラ１００からのハイライト制御信号Ｓchに基づき、表示すべき選択ボタン等の表示状態の変更を行って出力する。
【００９３】
ビデオデコーダ８８から出力された復調ビデオ信号Ｓvd及びサブピクチャデコーダ９０から出力された復調副映像信号Ｓspd（対応する復調ビデオ信号Ｓvdとの同期が取れている。）は、混合器９１により混合され、最終的な表示すべき映像信号Ｓvpとして図示しないＣＲＴ（Cathode Ray Tube）等の表示部に出力される。
【００９４】
次に、オーディオ信号Ｓadが入力されるオーディオバッファ９２は、ＦＩＦＯメモリ等により構成され、入力されたオーディオ信号Ｓadを一時的に蓄積し、オーディオデコーダ９３に出力する。オーディオバッファ９２は、オーディオ信号Ｓadを対応する映像情報を含むビデオ信号Ｓv又は副映像信号Ｓspに同期して出力させるためのものであり、対応する映像情報の出力状況に応じてオーディオ信号Ｓadを遅延させる。そして、対応する映像情報と同期するように時間調整されたオーディオ信号Ｓadは、オーディオデコーダ９３に出力され、所定のデコードが施されて復調オーディオ信号Ｓaddとして図示しないスピーカ等に出力される。なお、アクセス直後の再生で一時的に音声を中断する（ポーズする）必要があることが検出された場合には、システムコントローラ１００からポーズ信号Ｓcaがオーディオデコーダ９３に出力され、当該オーディオデコーダ９３において一時的に復調オーディオ信号Ｓaddの出力を停止する。
【００９５】
更に、ＰＣＩ信号Ｓpcが入力されるＰＣＩバッファ９４は、ＦＩＦＯメモリ等により構成され、入力されたＰＣＩ信号Ｓpcを一時的に蓄積し、ＰＣＩデコーダ９５に出力する。ＰＣＩバッファ９４は、ＰＣＩ信号Ｓpcに含まれるＰＣＩパケット５０と当該ＰＣＩパケット５０が対応する映像情報、音声情報、副映像情報等とを同期させ、当該映像情報、音声情報又は副映像情報等にＰＣＩパケット５０を適用させるためのものである。そして、ＰＣＩバッファ９４により対応する映像情報又は副映像情報等と同期したＰＣＩ信号Ｓpcは、ＰＣＩデコーダ９５によりＰＣＩパケット５０に含まれるハイライト情報が分離され、ハイライト信号Ｓhiとしてハイライトバッファ９６に出力されると共に、ＰＣＩパケット５０のハイライト情報以外の部分がＰＣＩ情報信号Ｓpciとしてシステムコントローラ１００に出力される。
【００９６】
ハイライト信号Ｓhiが入力されるハイライトバッファ９６は、ＦＩＦＯメモリ等により構成され、入力されたハイライト信号Ｓhiを一時的に蓄積し、ハイライトデコーダ９７に出力する。ハイライトバッファ９６は、当該ハイライト情報のための映像情報が含まれている副映像信号Ｓspに対応して、ハイライト情報に対応する選択項目の表示状態の変更が正確に行われるための時間軸補償を行うためのバッファである。そして、時間軸補償が行われたハイライト信号Ｓhiは、ハイライトデコーダ９７においてデコードされ、当該ハイライト信号Ｓhiに含まれる情報が復調ハイライト信号Ｓhidとしてシステムコントローラ１００に出力される。ここで、システムコントローラ１００は、当該復調ハイライト信号Ｓhidに基づき、ハイライト情報による表示状態の変更を行うべく、上記のハイライト制御信号Ｓchを出力することとなる。
【００９７】
システムコントローラ１００は、システムバッファ８５から入力される制御情報Ｓc、ＰＣＩデコーダ９５から入力されるＰＣＩ情報信号Ｓpci及びリモコン等の入力部９８から入力される入力信号Ｓinに基づき、それらの信号に対応した正しい再生を行うために上記のスイッチ信号Ｓsw2、言語選択信号Ｓlc、ポーズ信号Ｓca、ハイライト制御信号Ｓchを出力すると共に、再生装置Ｓ2の動作状況等を表示するために表示信号Ｓdpを液晶表示装置等のディスプレイ９９に出力する。
【００９８】
更に、システムコントローラ１００は、上記制御信号Ｓc等により、シームレス再生のためにサーチ等のトラックジャンプの処理が必要であることを検出したときには、ドライブコントローラ１０１に対して、当該トラックジャンプの処理に対応するシームレス制御信号Ｓcslを出力する。
【００９９】
そして、シームレス制御信号Ｓcslが入力されたドライブコントローラ１０１は、スピンドルモータ１０２又はスライダモータ１０３に対して駆動信号Ｓdを出力する。この駆動信号Ｓdにより、スピンドルモータ１０２又はスライダモータ１０３は、光ビームＢが再生すべきＤＶＤ１上の記録位置に照射されるようにピックアップ２を移動させる（図９破線矢印参照）と共に、ＤＶＤ１の回転数をＣＬＶ（線速度一定）制御する。これと並行して、ドライブコントローラ１０１は、ピックアップ２が移動中であり復調訂正部８１から復調信号Ｓdmが出力されないときには、シームレス制御信号Ｓcslに基づきスイッチ信号Ｓsw1を出力し、ストリームスイッチ８２を開とすると共に、復調信号Ｓdmが出力され始めると、ストリームスイッチ８２を閉成して復調信号Ｓdmをトラックバッファ８３に出力する。
【０１００】
本実施の形態では、特に、システムコントローラ１００は、再生装置Ｓ２の動作状態を示す動作状態レジスタを備えており、この動作状態レジスタは、サーチ又はスキャンなどの特殊再生実行中の場合に１にセットされる特定ビットを有している。従って、この特定ビットが１にセットされている時にのみ、特殊再生を禁止する制御を行えばよい。更に、システムコントローラ１００は、各ＰＧＣの再生に先立ってPGCIに記述されたセル再生情報テーブル（図４参照）を予め内蔵されたＲＡＭ等の記憶装置に格納するように構成されている。従って、各セルについて特殊再生が禁止されているか否かをそのセルを再生することなく判定できる。
【０１０１】
次に、上記再生装置Ｓ2の内、特に本発明に係るシステムコントローラ１００の第１及び第２再生禁止フラグに基づくサーチ動作及びスキャン動作について、説明する。
【０１０２】
先ず、サーチ動作に付いて図１０を参照して説明する。
【０１０３】
図１０において、サーチ動作に先立って、システムコントローラ１００は、各ＶＴＳの再生を開始する際に、そのコントロールデータが含むPGCIデータが有する図４に示したようなセル再生情報テーブルを予め読み込んで内部のＲＡＭ等の記憶装置に記憶しておく。
【０１０４】
この状態で、チャプターサーチ、時間サーチ等のサーチが、視聴者により再生装置Ｓ２に対し入力部９８を介して指示されると、システムコントローラ１００が有する、動作状態レジスタの特殊再生実行中であることを示す特定ビットが、１にセットされる。そして、システムコントローラ１００は、この指示されたサーチ先のチャプター、時間等に対応するセルについての第１再生禁止フラグをセル再生情報テーブルから抜き出す（ステップＳ１１）。次に、システムコントローラ１００は、この抜き出した第１再生禁止フラグが「１（オン）」であるか「０（オフ）」であるかを判定する（ステップＳ１２）。ここで、第１再生禁止フラグが「０」であれば、当該セルのサーチ動作及びスキャン動作の再生が許可されているので、ステップＳ１３へ進み、システムコントローラ１００による制御下で目的アドレスがサーチされる（ステップＳ１３）、その後、サーチされたチャプター、時間等に対応するセルから映像情報及び音声情報の再生が開始される（ステップＳ１４）。一方、ステップＳ１２で、第１再生禁止フラグが「１」であれば、当該セルのサーチ動作及びスキャン動作の際の再生が禁止されているので、ステップＳ１５へ進み、システムコントローラ１００による制御下で、例えば、「問題に答えた後でなければ、答えは見れません！」のようなサーチ不能である旨がディスプレイ９９上に表示され（ステップＳ１５）、指示されたサーチ動作は実行されない（ステップＳ１６）。
【０１０５】
このように、本実施の形態によれば、セル再生情報テーブル内に構築された第１再生禁止フラグをピックアップ８０の移動に先立って参照することにより、ピックアップ８０をサーチの目的位置まで移動させることなくサーチを迅速且つ確実に中止することができるので有利である。これにより、例えば、インタラクティブな再生において、ある「問題」を探している際に、「問題」を見る前に「答え」を見てしまうといった、製作者の意に反し視聴者にとっても不快な再生を未然に防止することができる。
【０１０６】
更に、本実施の形態によれば、物理的にアクセス可能な最小単位である各ＶＯＢＵ毎に、その映像、再生の音声情報の再生に先立って読み込まれるナビパックのＤＳＩデータの内部に第２再生禁止フラグが設けられているので、仮に再生装置Ｓ２のエラー動作により、ピックアップ８０がサーチ目標のセルと異なるセルであって第１再生禁止フラグにより再生が禁止されているセルに飛び込んでしまったような場合であっても、そのセル内における映像、音声情報の再生に先立って、各ＶＯＢＵ毎に設けられたナビパック内のＤＳＩデータ内部に構築された第２再生禁止フラグを参照することにより、そのセルを誤って再生することをリアルタイムで（即ち、ピックアップ８０がそのセルまで移動した後に）、禁止することができるので、サーチ動作の際に再生が禁止されたセルが再生される事態をより確実に阻止することができる。
【０１０７】
次に、スキャン動作に付いて図１１を参照して説明する。
【０１０８】
図１１において、スキャン動作に先立って、システムコントローラ１００は、各ＶＴＳの再生を開始する際に、そのコントロールデータが含むPGCIデータが有する図４に示したようなセル再生情報テーブルを予め読み込んで内部のＲＡＭ等の記憶装置に記憶しておく。
【０１０９】
この状態で、前方早送りスキャン、後方早送りスキャンなどのスキャン動作が、視聴者により再生装置Ｓ２に対し入力部９８を介して指示されると、システムコントローラ１００による制御下で、スキャンの際に表示するものと予め定められた特定のピクチャ（例えば、Ｉピクチャなど）が出画される（ステップＳ２１）。この際、特に、システムコントローラ１００が有する、動作状態レジスタの特殊再生実行中であることを示す特定ビットが、１にセットされる。
【０１１０】
次に、スキャンの方向に応じたトラックジャンプを行い（ステップＳ２２）、現在のアドレスをＶＯＢＵの単位で取得する（ステップＳ２３）。即ち、ジャンプ後に再生しようとするＶＯＢＵのナビパックを読み、そのＶＯＢＵの先頭アドレスがシステムコントローラ１００に認識される。続いて、システムコントローラ１００は、動作状態レジスタの特殊再生実行中であることを示す特定ビットが１にセットされているので、次の動作を行う。即ち、この現在アドレスを含むセルの第１再生禁止フラグを、再生に先立って予め読み込み記憶しているセル再生情報テーブルの中から抜き出す（ステップＳ２４）。次に、システムコントローラ１００は、この抜き出した第１再生禁止フラグが「１（オン）」であるか「０（オフ）」であるかを判定する（ステップＳ２５）。ここで、第１再生禁止フラグが「０」であれば、当該セルのサーチ動作及びスキャン動作の再生が許可されているので、ステップＳ２７へ直接進み、スキャン終了が指示されているか否かが判断される（ステップＳ２７）。このステップＳ２７において、スキャン終了が指示されていれば、スキャンを終了し（ステップＳ２８）、そのセルから通常の再生が行われる。ステップＳ２７において、スキャン終了が指示されていない、即ち再度スキャンが指示されている場合には、ステップＳ２１に戻る。
【０１１１】
一方、ステップＳ２５で、第１再生禁止フラグが「１」であれば、当該セルのサーチ動作及びスキャン動作の際の再生が禁止されているので、ステップＳ２６へ進み、システムコントローラ１００による制御下で、スキャンしている方向について次に位置する第１再生禁止フラグが「０」であるセルの先頭アドレスにトラックジャンプすることにより、次のセルの先端がサーチされ（ステップＳ２６）、その後、ステップＳ２７へと進む。
【０１１２】
このステップＳ２６の動作が行われる様子を図１２に示す。
【０１１３】
図１２に示すように、再生可能なセル３０１を再生している途中で、視聴者がスキャンを開始し、スキャン動作中に再生不可能なセル３０２にピックアップが移動されても、再生不可能なセルであることがセル再生情報テーブルに基づいて迅速に判断されて、更に次の再生可能なセル３０３が自動的に且つ直ちにサーチされる。このように、本実施の形態によれば、スキャン本来の目的である迅速な前方早送り、及び後方早送りなどの機能は殆ど害されることなく、特に前述した本願発明者らにより発明された特願平０７―１６６０２５号の技術によるスキャン動作と比較して、再生されない時間が長く続くことはなくなり、遥かに円滑且つ自然なスキャン動作が可能であることが分かる。
【０１１４】
このように、本実施の形態によれば、セル再生情報テーブル内に構築された第１再生禁止フラグをピックアップ８０のスキャン動作による移動が行われる度に参照することにより、再生可能なセルについてのみスキャンを行うことができるので有利である。これにより、例えば、インタラクティブな再生において、「問題」のみを安心して且つ迅速にサーチすることが可能となり、サーチにより「問題」を見る前に「答え」を見てしまうといった、製作者の意に反し視聴者にとっても不快な再生を未然に防止することができ、更に、視聴者にとって大変使い心地の良い円滑なスキャン動作が可能となる。
【０１１５】
更に、本実施の形態によれば、物理的にアクセス可能な最小単位である各ＶＯＢＵ毎に、その映像、再生の音声情報の再生に先立って読み込まれるナビパックのＤＳＩデータの内部に第２再生禁止フラグが設けられているので、仮に再生装置Ｓ２のエラー動作により、ピックアップ８０がスキャン目標のセルと異なるセルであって第１再生禁止フラグにより再生が禁止されているセルに飛び込んでしまったような場合であっても、そのセル内における映像、音声情報の再生に先立って、各ＶＯＢＵ毎に設けられたナビパック内のＤＳＩデータ内部に構築された第２再生禁止フラグを参照することにより、そのセルを誤って再生することをリアルタイムで、禁止することができるので、スキャン動作の際に再生が禁止されたセルが再生される事態をより確実に阻止することができる。
【０１１６】
更に、このように同じセル単位で再生を禁止する二種類の再生禁止フラグを設けたことにより、ＤＳＩ中のＶＯ第２再生禁止フラグをオフ（許可状態）としておき、ＰＧＣＩ中の第１再生禁止フラグのみを一つのＰＧＣについてはオン（禁止状態）且つ他のＰＧＣについてはオフ（許可状態）としておけば、前述の「セルの使い回し」をした際に、同じセルについても、サーチやスキャンの際に再生可能としたり、不可能としたりができるようになり便利である。即ち、例えば、先生や親は、問題など見ることなく正解のみを迅速に予めチェックできるＰＧＣを再生し、他方で生徒や子どもは、問題を終えないと回答が見れないＰＧＣを再生するようにでき便利である。
【０１１７】
最後に、上述のように動作する本実施の形態により、「問題」を表示等した後に視聴者が入力した「答え」の内容に応じて異なる表示等をするようなインタラクティブな再生を行った様子を図１３及び図１４を参照して説明する。
【０１１８】
この再生では、「答え」が正解である場合には、正解に対応した映像として、例えば「正解です。」という表示に、解説を加えた映像が表示されると共に、音声として、電子チャイムの「ピンポーン」というような音、表示された文章を読み上げる音声等が出力される。一方、この「答え」が間違いである場合には、間違いに対応した映像として、例えば「間違いです。正解は、…です。」という表示に、解説を加えた映像が表示されると共に、音声として電子ブザーの「ブー」というような音、表示された文章を読み上げる音声等が出力される。
【０１１９】
図１３は、通常再生の場合の再生処理の流れを示している。正解１に対応するセル及び間違い１に対応するセルは、第１及び第２再生禁止フラグによりサーチ動作、スキャン動作などの特殊再生は禁止されているが、この場合通常再生であるので、問題が再生された後に、これに対する視聴者による「答え」に応じて、正解１に対応するセル又は間違い１に対応するセルが再生される。
【０１２０】
図１４は、問題１を再生している途中でスキャン動作又はスキャン動作が開始された場合の再生処理の流れを示している。正解１に対応するセル及び間違い１に対応するセルは、第１及び第２再生禁止フラグにより、このようなサーチ動作、スキャン動作などの特殊再生は禁止されているので、サーチ又はスキャンにより、問題１が再生されていない正解１に対応するセル又は間違い１に対応するセルが再生されることはない。従って、この場合には、例えば、システムコントローラ１００による制御下で、次の問題２の先頭部分がサーチ又はスキャンされたり、当該サーチやスキャンが停止されたりする。
【０１２１】
図１３及び図１４から分かるように、本実施の形態によれば、製作者が意図し、視聴者にとっても好ましいインタラクティブな再生が行われる。
【図面の簡単な説明】
【０１２２】
【図１】本発明の一実施の形態としてのＤＶＤにおけるデータの物理的構成を示す概念図である。
【図２】図１のＤＶＤにおけるデータの論理的構成を示す概念図である。
【図３】図１のＤＶＤにおけるインターリーブドユニットの構成を示す概念図である。
【図４】図１のＤＶＤに設けられたセル再生情報テーブルのデータ構造を示す表である。
【図５】図４のセル再生情報テーブル内のセルの属性情報のデータ構造を示す概念図である。
【図６】図１のＤＶＤに設けられたＤＳＩのデータ構造を示す表である。
【図７】図６のＤＳＩ内の再生禁止情報のデータ構造を示す概念図である。
【図８】本発明の他の実施の形態としての図１のＤＶＤを記録するための情報記録装置のブロック図である。
【図９】本発明の他の実施の形態としての図１のＤＶＤを再生するための情報再生装置のブロック図である。
【図１０】図９の情報再生装置のサーチ動作を示すフローチャートである。
【図１１】図９の情報再生装置のスキャン動作を示すフローチャートである。
【図１２】図９の情報再生装置のスキャン動作を示す概念図である。
【図１３】図９の情報再生装置の通常再生動作を示す概念図である。
【図１４】図９の情報再生装置の特殊再生動作を示す概念図である。
【符号の説明】
【０１２３】
１    ＤＶＤ
２    ビデオマネージャ
３、６３    ＶＴＳ
１０    ＶＯＢ
１１    コントロールデータ
２０    セル
３０    ＶＯＢユニット
４１    ナビパック
４２    ビデオデータ
４３    オーディオデータ
４４    サブピクチャデータ
５０    ＰＣＩデータ
５１    ＤＳＩデータ
６０    プログラム
６１、６１Ａ、６１Ｂ    ＰＧＣ
６２    タイトル
７０    ＶＴＲ
７１    メモリ
７２    信号処理部
７３    ハードディスク装置
７４    ハードディスク装置
７５    コントローラ
７６    多重器
７７    変調器
７８    マスタリング装置
８０    ピックアップ
８１    復調訂正部
８２、８４    ストリームスイッチ
８３    トラックバッファ
８５    システムバッファ
８６    デマルチプレクサ
８７    ＶＢＶバッファ
８８    ビデオデコーダ
８９    サブピクチャバッファ
９０    サブピクチャデコーダ
９２    オーディオバッファ
９３    オーディオデコーダ
９４    ＰＣＩバッファ
９５    ＰＣＩデコーダ
９６    ハイライトバッファ
９７    ハイライトデコーダ
９８    入力部
９９    ディスプレイ
１００    システムコントローラ
１０１    ドライブコントローラ
１０２    スピンドルモータ
１０３    スライダモータ
２０１    セル再生情報テーブル
２０２    第１再生禁止フラグ
２１２    第２再生禁止フラグ
Ｓ1    記録装置
Ｓ2    再生装置
ＤＫ    光ディスク
ＳＴ    キューシート
【図１】
2006269066.tif 000003
【図２】
2006269066.tif 000004
【図３】
2006269066.tif 000005
【図４】
2006269066.tif 000006
【図５】
2006269066.tif 000007
【図６】
2006269066.tif 000008
【図７】
2006269066.tif 000009
【図８】
2006269066.tif 000010
【図９】
2006269066.tif 000011
【図１０】
2006269066.tif 000012
【図１１】
2006269066.tif 000013
【図１２】
2006269066.tif 000014
【図１３】
2006269066.tif 000015
【図１４】
2006269066.tif 000016